(57)【要約】【課題】カード別に割引率を設定でき、さらに単品ごとに割引の可否を設定できる金銭登録装置及び金銭登録プログラムを提供する。【解決手段】金銭登録装置は、情報を入出力する入出力装置と、記憶媒体からカード発行元を示す識別子を含むＩＤを読み取る読取部と、商品コードごとの単価及び割引可否を格納する価格データベースと、カード発行元である識別子ごとの割引率を格納するカード判定テーブルと、読取部が読取ったＩＤから識別子を読み出し、この識別子に基づいてカード判定テーブルを検索してカード発行元ごとの割引率を読み出し、入力された商品コードに基づいて価格データベースを検索して商品コードごとの単価及び割引可否を読み出し、この割引可否に基づいて当該商品が割引販売可能であると判定した場合、単価と割引率に基づいて販売単価を計算する制御部と、を備える。【選択図】図２
2014164481.tif 000002
【特許請求の範囲】
【請求項１】
情報を入出力する入出力装置と、
記憶媒体から識別子を含むＩＤを読み取る読取部と、
商品コードごとの単価を格納する価格データベースと、
前記識別子ごとの割引率を格納するカード判定テーブルと、
読取部が読取った前記ＩＤから前記識別子を読み出し、前記識別子に基づいて前記カード判定テーブルを検索して前記識別子ごとの前記割引率を読み出し、入力された商品コードに基づいて前記価格データベースを検索して前記商品コードごとの前記単価を読み出し、前記単価と前記割引率に基づいて販売単価を計算する制御部と、
を備える金銭登録装置。
【請求項２】
前記価格データベースは、
前記商品コードごとの割引可否をさらに格納し、
前記制御部は、
前記割引可否に基づいて当該商品が割引販売可能であると判定した場合、当該商品について前記単価と前記割引率に基づいて販売単価を計算する請求項１記載の金銭登録装置。
【請求項３】
前記識別子は、
カード発行元を示す請求項２記載の金銭登録装置。
【請求項４】
前記制御部は、
前記割引可否に基づいて当該商品が割引販売不可能であると判定した場合、当該商品について前記単価を販売単価として計算する請求項３記載の金銭登録装置。
【請求項５】
金銭登録装置を、
情報を入出力する入出力手段と、
記憶媒体から識別子を含むＩＤを読み取る読取手段と、
読取部が読取った前記ＩＤから前記識別子を読み出し、前記識別子に基づいて前記識別子ごとの割引率を格納するカード判定テーブルを検索して前記識別子ごとの前記割引率を読み出す割引率判定手段と、
入力された商品コードに基づいて商品コードごとの単価を格納する価格データベースを検索して前記商品コードごとの前記単価を読み出す単価判定手段と、
前記単価と前記割引率に基づいて販売単価を計算する販売単価計算手段と、
として機能させるための金銭登録プログラム。
【発明の詳細な説明】
【技術分野】
【０００１】
本発明の実施形態は、金銭登録装置及び金銭登録プログラムに関する。
【背景技術】
【０００２】
近年自社の会員に対して会員カードを発行し、この会員カードを持参する顧客に対して様々な優待サービスを行う販売促進方法が一般的になっている。
【０００３】
従来のＰＯＳ端末などの金銭登録装置では、割引ボタンの押下によって小計から一括して割り引く機能を持つもの、或いは会員のランクに応じて小計から一括して割り引くものしかなかった。
【０００４】
従って、従来の金銭登録装置は提携先のカードの割引率よりも自社が発行したカードの割引率を高く設定して自社が発行したカードの利用率を高めたいという要請に応えられなかった。また、従来の金銭登録装置は単品ごとに割引の可否を設定したいという要請に応えられなかった。
【先行技術文献】
【特許文献】
【０００５】
【特許文献１】特開２０００−２５１１５３号公報
【発明の概要】
【発明が解決しようとする課題】
【０００６】
従って、カード別に割引率を設定でき、さらに単品ごとに割引の可否を設定できる金銭登録装置及び金銭登録プログラムが求められている。
【課題を解決するための手段】
【０００７】
上記の課題を解決するために、本発明の一実施形態は、情報を入出力する入出力装置と、記憶媒体から識別子を含むＩＤを読み取る読取部と、商品コードごとの単価を格納する価格データベースと、識別子ごとの割引率を格納するカード判定テーブルと、読取部が読取ったＩＤから識別子を読み出し、識別子に基づいてカード判定テーブルを検索して識別子ごとの割引率を読み出し、入力された商品コードに基づいて前記価格データベースを検索して商品コードごとの単価を読み出し、単価と割引率に基づいて販売単価を計算する制御部と、を備える金銭登録装置を提供する。
【図面の簡単な説明】
【０００８】
【図１】金銭登録装置の外観斜視図である。
【図２】金銭登録装置の構成を示すブロック図である。
【図３】価格データベースのデータ構成を示す図である。
【図４】トランザクションファイルのデータ構成を示す図である。
【図５】カード判定テーブルのデータ構成を示す図である。
【図６】金銭登録装置の決済動作を示すフローチャートである。
【発明を実施するための形態】
【０００９】
以下、金銭登録装置及び金銭登録プログラムの一実施形態について、図面を用いて詳細に説明する。
【００１０】
本実施形態の金銭登録装置は、情報を入出力する入出力装置と、記憶媒体から識別子を含むＩＤを読み取る読取部と、商品コードごとの単価を格納する価格データベースと、識別子ごとの割引率を格納するカード判定テーブルと、読取部が読取ったＩＤから識別子を読み出し、識別子に基づいてカード判定テーブルを検索して識別子ごとの割引率を読み出し、入力された商品コードに基づいて前記価格データベースを検索して商品コードごとの単価を読み出し、単価と割引率に基づいて販売単価を計算する制御部と、を備える。
【００１１】
図１は、金銭登録装置１００の外観斜視図である。図１に示すように、金銭登録装置１００は、入出力装置であるタッチパネル２０２と、入力装置であるキーボード２０３と、読取部であるカードリーダ２０４Ａと、を備える。
【００１２】
カードリーダ２０４Ａは、記憶媒体であるカードからカードごとに固有に割り当てられるＩＤを読み取る。このＩＤにはカードの発行元を識別する識別子が含まれる。
【００１３】
この記憶媒体は、例えば、磁気ストライプを有する磁気カードや、無線タグを格納するＩＣカードであってよく、ＩＤを格納できれば、その具体的態様に制限はない。さらに、記憶媒体はいわゆるクレジットカードであってもよい。
【００１４】
ＩＤは、無線タグのメモリに格納されていても、磁気ストライプに記載されていてもよい。
【００１５】
金銭登録装置１００は、この他に商品に貼付されるバーコードを読み取るスキャナ、金銭を格納するドロワ、取引内容を記録媒体に画像形成するプリンタなどの付属装置を接続することができる。
【００１６】
金銭登録装置１００は、スタンドアロンにて使用することも、ストアコントローラと接続して使用することもできる。ストアコントローラは金銭登録装置１００と同様の構成をもち、ストアコントローラに格納された商品に関する情報は変更があった都度接続されている金銭登録装置１００に配信される。
【００１７】
図２は、金銭登録装置１００の構成を示すブロック図である。図２に示すように、金銭登録装置１００は、制御部であるＣＰＵ（Ｃｅｎｔｒａｌ  Ｐｒｏｃｅｓｓｉｎｇ  Ｕｎｉｔ）２０１と、タッチパネル２０２と、キーボード２０３と、カードリーダ２０４Ａと、外部機器と通信を行うための通信インターフェース（以下、インターフェースをＩ／Ｆという。）２０５と、記憶装置であるＲＯＭ（ｒｅａｄ−ｏｎｌｙ  ｍｅｍｏｒｙ）、ＲＡＭ（ｒａｎｄｏｍ−ａｃｃｅｓｓ  ｍｅｍｏｒｙ）などのメモリ２０６と、ハードディスク、乃至フラッシュＲＯＭなどの不揮発性記憶装置である補助記憶装置２０７と、カードリーダ２０４Ａと、を備える。
【００１８】
補助記憶装置２０７は、商品コードごとの単価及び割引可否を格納する価格データベース（以下、データベースをＤＢという。）２０７Ａと、一取引の内容を格納するトランザクションファイル２０７Ｂと、カード発行元ごとの割引率格納するカード判定テーブル２０７Ｃと、を格納する。
【００１９】
金銭登録プログラムは、補助記憶装置２０７に格納され、制御部２０１は、金銭登録プログラムを補助記憶装置２０７から読み出してメモリ２０６に格納し、メモリ２０６から順次命令を読み出して実行する。
【００２０】
図３は、価格ＤＢ２０７Ａのデータ構成を示す図である。図３に示すように、価格ＤＢ２０７Ａは、商品毎に固有に割り当てられる「商品コード」と、商品の名称である「名称」と、商品の定番価格である「単価」と、販売部門を示す「部門」と、割引販売の可否を示す「割引可否」と、を格納する。
【００２１】
各データの例は、商品コードが「４００００００００１２３４」、名称が「缶コーヒー２５０ｍｌ」、単価が「１００」、部門が「５０１０」、割引可否が「可」である。
【００２２】
図４は、トランザクションファイル２０７Ｂのデータ構成を示す図である。図４に示すように、トランザクションファイル２０７Ｂは、一取引ごとに、「商品コード」と、「名称」と、「単価」と、販売する数量を示す「数量」と、を格納する。
【００２３】
各データの例は、商品コードが「４００００００００１２３４」、名称が「缶コーヒー２５０ｍｌ」、単価が「９５」、数量が「６」である。
【００２４】
図５は、カード判定テーブル２０７Ｃのデータ構成を示す図である。図５に示すように、カード判定テーブル２０７Ｃは、カードに記載されるＩＤに含まれる当該カードの発行元を示す「カード発行元」と、カード発行元ごとに定められる割引率である「割引率」と、を格納する。
【００２５】
各データの例は、カード発行元が「１２３４」、割引率が「５」（％）である。なお、格納するデータは、これに限られるものではない。
【００２６】
図６は、金銭登録装置１００の決済動作を示すフローチャートである。図６に示すように、ステップ６０１において、金銭登録装置１００はカードリーダ２０４ＡによってカードのＩＤを読み取る。
【００２７】
ステップ６０２において、金銭登録装置１００はＩＤからカード発行元を示す識別子を読み取り、この識別子に基づいてカード判定テーブルを検索し、カード発行元ごとの割引率を読み出す。
【００２８】
ステップ６０３において、金銭登録装置１００は商品のバーコードをスキャンし、このバーコードに基づいて価格ＤＢ２０７Ａを検索し、スキャンした商品の名称、単価、割引可否を読み出す。
【００２９】
ステップ６０４において、金銭登録装置１００は当該商品が割引販売をできる商品であるかを割引可否によって判定する。金銭登録装置１００は、当該商品の割引可否が「可」であった場合、ステップ６０５に進み、「可」でなかった場合、ステップ６０６に進む。
【００３０】
ステップ６０５において、金銭登録装置１００は単価と割引率に基づいて割引価格を計算し、この割引価格を単価に代入する。
【００３１】
ステップ６０６において、金銭登録装置１００はトランザクションファイル２０７Ｂに商品コード、名称、単価、数量を登録する。
【００３２】
ステップ６０７において、金銭登録装置１００は小計ボタンが押下されたかを判定する。金銭登録装置１００は小計ボタンが押下されたと判定した場合、ステップ６０８に進み、小計ボタンが押下されていないと判定した場合、ステップ６０３に戻る。
【００３３】
ステップ６０８において、金銭登録装置１００は小計を計算する。
【００３４】
ステップ６０９において、金銭登録装置１００は預り金を入力する。
【００３５】
ステップ６１０において、金銭登録装置１００はつり銭を計算し、レシートを印刷して一取引を終了する。
【００３６】
以上述べたように、本実施形態の金銭登録装置１００は、情報を入出力する入出力装置と、記憶媒体からカード発行元を示す識別子を含むＩＤを読み取る読取部と、商品コードごとの単価及び割引可否を格納する価格ＤＢ２０７Ａと、一取引の内容を格納するトランザクションファイル２０７Ｂと、カード発行元である識別子ごとの割引率を格納するカード判定テーブル２０７Ｃと、読取部が読取ったＩＤから識別子を読み出し、この識別子に基づいてカード判定テーブル２０７Ｃを検索してカード発行元ごとの割引率を読み出し、入力された商品コードに基づいて価格ＤＢ２０７Ａを検索して商品コードごとの単価及び割引可否を読み出し、この割引可否に基づいて当該商品が割引販売可能であると判定した場合、単価と割引率に基づいて販売単価を計算する制御部と、を備える。
【００３７】
従って、カード別に割引率を設定でき、さらに単品ごとに割引の可否を設定できるという効果がある。
【００３８】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３９】
１００：金銭登録装置
２０４Ａ：カードリーダ
２０７Ａ：価格データベース
２０７Ｂ：トランザクションファイル
２０７Ｃ：カード判定テーブル
【図１】
2014164481.tif 000003
【図２】
2014164481.tif 000004
【図３】
2014164481.tif 000005
【図４】
2014164481.tif 000006
【図５】
2014164481.tif 000007
【図６】
2014164481.tif 000008